(57)【要約】  本発明は、固定用表面（１７）への固定のための負圧式保持装置（１）であって、中央ピース（１１）が備えられた、該固定用表面（１７）に向かって開かれた空洞になっている吸着盤（２）と、少なくとも該固定用表面（１７）に向かって弾性材料を有するシール端（５）とを有し、このシール端で該吸着盤（２）が該固定用表面（１７）に取り付け可能であり、その結果、該吸着盤（２）の底面（９）と該固定用表面（１７）との間に、外に向かって気密に閉じられた負圧室（３０）が形成される負圧式保持装置に関し、その際、該負圧式保持装置（１）が該接触圧伝達部（８）と、吸着盤壁部（７）への接触圧を伝達するための押付け手段（１８）とを有し、このことにより吸着に用いられる付加的な接触圧がもたらされる。
2007536475.tif 000002
【特許請求の範囲】
【請求項１】
中央ピース（１１）が備えられた、固定用表面（１７）に向かって開かれた空洞になっている吸着盤（２）と、少なくとも前記固定用表面（１７）に向かって弾性材料を有するシール端（５）とを有し、このシール端で前記吸着盤（２）が前記固定用表面（１７）に取り付け可能であり、その結果、前記吸着盤（２）の底面（９）と前記固定用表面（１７）との間に、外部に向かって気密に閉じられた負圧室（３０）が形成される、固定用表面（１７）への固定のための負圧式保持装置（１）において、
前記負圧式保持装置（１）が接触圧伝達部（８）を有し、この接触圧伝達部が押し軸方向に弾性に変形可能でありかつ吸着盤（２）の中央ピース（１１）と吸着盤における外側のシール端（５ ）との間に−前記中央ピース（１１）ならびに前記外側のシール端（５ ）からそれぞれ離して吸着盤壁部（７）の外側面（６）に配置されており、かつ
前記負圧式保持装置（１）が吸着盤壁部（７）への接触圧を伝達するための押付け手段（１８）を有し、その際、前記押付け手段（１８）が、少なくとも接触圧下に固定用表面（１７）に向かって中央ピース（１１）に作用が及ぼされながら、中央ピース（１１）および接触圧伝達部（８）と、そしてこの接触圧伝達部（８）を介して吸着盤壁部（７）と結合するように形成されており、
その際、外から押しながら吸着盤（２）の吸着盤壁部（７）に対して作用する押付け手段（１８）が、中央ピース（１１）にて固定されたカバーから成り、このカバーが接触圧伝達部（８）に少なくとも接触圧下に作用することを特徴とする、
固定用表面への固定のための負圧式保持装置。
【請求項２】
接触圧伝達部（８）がほぼ環状の１つの円環体または、独立して、好ましくは中央ピース（１１）に対しほぼ同心に配置されている個々の突起から成ることを特徴とする、請求項１記載の負圧式保持装置。
【請求項３】
接触圧伝達部（８）が、殊に１８以下、特に１０〜１８、のショア硬度（ＤＩＮ  ５３５０５による）を有するゴム弾性材料から成り、かつこれとは無関係に前記接触圧伝達部（８）が好ましくは吸着盤壁部（７）の外側面（６）に組み込まれた部材でありかつ同一の材料から成ることを特徴とする、請求項１または２記載の負圧式保持装置。
【請求項４】
接触圧伝達部（８）が張力のかかっていない状態で押付け手段（１８）とだけかまたは吸着盤壁部とだけ結合していることを特徴とする、請求項１から３までのいずれか一項に記載の負圧式保持装置。
【請求項５】
カバー（１８）が凹面形状を有し、この凹面形状がさらに好ましくは力の作用によって中央で中心に向かって弾性に変形可能でありかつこれとは無関係に吸着盤（２）を本質的に覆うことを特徴とする、請求項１から４までのいずれか一項に記載の負圧式保持装置。
【請求項６】
カバー（１８）が外部からの接触圧がかかると中央ピース（１１）を張力下に復元力によって、特に接触圧によるカバー中央への前に行なわれたカバー（１８）の弾性変形が原因ともなって、固定用表面（１７）から付加的に離すことを特徴とする、請求項１から５までのいずれか一項に記載の負圧式保持装置。
【請求項７】
接触圧伝達部（８）が選択的に吸着盤（２）の外側面（６）にかまたは接触圧を補強するカバー（１８）の前記吸着盤（２）に向かい合う面に備えられているか、あるいはこれらの一部を形成することを特徴とする、請求項１から６までのいずれか一項に記載の負圧式保持装置。
【請求項８】
吸着盤（２）が少なくともシール端（５）の範囲で、好ましくは吸着盤壁部（７）および場合によっては吸着盤（２）全体の範囲でも、この場合には中央ピース（１１）を除いて、１８以下、特に１０〜１８、殊に１１〜１４、のショア硬度（ＤＩＮ  ５３５０５による）を有する材料から成ることを特徴とする、請求項１から７までのいずれか一項に記載の負圧式保持装置。
【請求項９】
吸着盤（２）が熱可塑性エラストマーから成るかまたは熱可塑性エラストマーを有することを特徴とする、請求項１から８までのいずれか一項に記載の負圧式保持装置。
【請求項１０】
吸着盤（２）の材料中に、好ましくは中央ピース（１１）から出るアーム（１３）、このアームは場合によっては相互に結合されておりかつこれとは無関係に吸着盤の半径の少なくとも半分、好ましくは少なくとも４分の３に広がる、を有する、安定化骨格（１０）が埋め込まれているか前記材料上に載せられていることを特徴とする、請求項１から９までのいずれか一項に記載の負圧式保持装置。
【請求項１１】
安定化骨格（１０）が弾性的に曲げられることができる材料、例えば金属、または非弾性の硬いプラチックから成ることを特徴とする、請求項１０記載の負圧式保持装置。
【請求項１２】
安定化骨格（１０）が釣鐘形を有し、殊に平たい円錐形であることを特徴とする、請求項１０または１１記載の負圧式保持装置。
【請求項１３】
中央ピース（１１）から出る安定化骨格（１０）のスパイダーアーム（１３）に上面でそれぞれ少なくとも１つのスペーサ（２６）が備えられ、このスペーサがほぼ全側面で、１８以下のショア硬度（ＤＩＮ  ５３５０５による）を有する柔軟な材料中に埋め込まれており、前記スペーサがスパイダーアーム（１３）のコーティングとほぼ同じ高さを有しかつ殊に前記アームの中央からスパイダーアーム（１３）の外縁に配置されていることを特徴とする、請求項１０から１２までのいずれか一項に記載の負圧式保持装置。
【請求項１４】
接触圧伝達部（８）が中央ピース（１１）から見て、吸着盤の半径全体の１／４〜５／６、殊に１／３〜２／３、に達する半径範囲内に配置されていることを特徴とする、請求項１から１３までのいずれか一項に記載の負圧式保持装置。
【請求項１５】
吸着盤の底面（９）のシール端（５）そばに、１つ、２つもしくは３つの環状のシールリップ（１６）が備えられており、これらシールリップは好ましくは同心でありかつさらに好ましくはより外側のシールリップから次のさらに内側にある第２のシールリップへの間隔が前記第２のシールリップから第３のシールリップへの間隔より小さいことを特徴とする、請求項１から１４までのいずれか一項に記載の負圧式保持装置。
【請求項１６】
押付け手段（１８）が吸着盤（２）の中央ピース（１１）と分離可能に結合しておりかつこれとは無関係にマウント装置（４）が押付け手段（１８）と吸着盤（２）を分離可能に結合することを特徴とする、請求項１から１５までのいずれか一項に記載の負圧式保持装置。
【請求項１７】
マウント装置（４）が、押付け手段（１８）を吸着盤（２）の中央ピース（１１）と結合するか、および／または物体のための固定装置を支持する中央のねじ継ぎ手（２０）を有することを特徴とする、請求項１から１６までのいずれか一項に記載の負圧式保持装置。
【請求項１８】
マウント装置（４）がボール（３１）と、物体が取り付け可能であるボールケージ（３２）とで構成されたボールジョイントを有することを特徴とする、請求項１６または１７記載の負圧式保持装置。
【請求項１９】
ボールジョイントがねじ継ぎ手（２０）に取り付けられたボール（３１）と、前記ボールに合わせたボールケージ（３２）で構成され、このボールケージは物体のための固定用接続ピース（３３）を有することを特徴とする、請求項１７記載の負圧式保持装置。
【請求項２０】
マウント装置（４）がボルト軸部（２２）と固定用ステー（２１）を有することを特徴とする、請求項１６から１９までのいずれか一項に記載の負圧式保持装置。
【請求項２１】
固定用ステー（２１）に面ファスナーが備えられており、この面ファスナーには物体が前記面ファスナーの片方と固定可能であることを特徴とする、請求項２０記載の負圧式保持装置。
【請求項２２】
場合によってはさらなるマウント装置（４）を有する爪付きディスク（３９）がカバー（１８）にねじって取り付けられて備えられており、その際、
カバー（１８）が本質的に円形に形成されておりかつ全周にわたってほぼ均等に分布してカバー中心点に対する距離がより小さな少なくとも３つの縁部ゾーン（４１）とカバー中心点に対する距離がより大きな少なくとも３つの縁部ゾーン（４２）とを有し、かつ、
爪付きディスク（３９）が外側のかぎ爪（４０）を有しかつ前記爪付きディスクがカバー中心点に対する距離がより小さな少なくとも３つの縁部ゾーン（４１）にセットされ、カバー中心点に対する距離がより大きな縁部ゾーン（４２）に向かって回転されるとカバーのそのさらなる縁部ゾーンにかぎ爪（４０）がかみ合うことによって爪付きディスクが固定用ステー（２１）に固定可能である
ことを特徴とする、請求項１から１６までのいずれか一項に記載の負圧式保持装置。
【請求項２３】
爪付きディスク（３９）が固定位置にかみ合って回らないように固定できるようにするために、爪付きディスク（３９）がロック装置（３８）上を回転可能に案内されていることを特徴とする、請求項２２記載の負圧式保持装置。
【請求項２４】
押付け手段（１８）および接触圧伝達部（８）が、固定用表面（１７）に向かう力の作用により押付け手段（１８）が先ず吸着盤壁部（７）に作用しかつその次に中央ピース（１１）に作用するように形成されていることを特徴とする、請求項１から２３までのいずれか一項に記載の負圧式保持装置。
【請求項２５】
押付け手段（１８）が圧力および張力なしで吸着盤（２）に、押付け手段（１８）がその押付け行程に対して少なくとも１ｍｍ中央ピース（１１）から離れているようにして載っていることを特徴とする、請求項１から２４までのいずれか一項に記載の負圧式保持装置。
【発明の詳細な説明】
【技術分野】
【０００１】
本発明は、物体を固定用表面に固定するための負圧式保持装置に関する。
【背景技術】
【０００２】
負圧式保持装置は、例えば吸着盤固定装置として公知である。このような吸着盤固定装置の吸着盤はゴムまたはプラスチックといった弾性材料から成る。このような吸着盤の技術的な作用の本質は、押し当てた際に、空洞になっている内側空間と、吸着盤が固定されるべき固定用表面との間に室が形成されることにある。空気はその室から、吸着盤が固定用表面に押し付けられることによって絞り出され、つまり空気は吸着盤のシール端と固定用表面の間から漏出する。押付けが弱まると吸着盤の回復する弾性によってその室内に負圧が生じ、この負圧が吸着盤を固定用表面に吸着させる。
【０００３】
この公知の負圧式保持装置は、平滑な固定用表面への良好な付着を目標としている。あまり平滑ではない粗い表面への付着には問題がある。このようなあまり平滑ではない表面は例えば、自動車内の計器板の多少とも水平な上部カバー、いわゆるダッシュボードである。
【０００４】
釣鐘形をしたこれら公知の吸着装置の多くには、負圧が弱まる際に釣鐘形への吸着盤の復元力によってシール端と接触面の間の角度が大きくなり、このことにより結果として止められない、なおかつ半径方向内向きの復元力が生じかつこの吸着装置は脱落するという欠点がある。
【発明の開示】
【発明が解決しようとする課題】
【０００５】
本発明の課題は、粗い固定用表面にも確実に、しっかりとかつ長時間持続的に付着する負圧式保持装置を提供することである。
【課題を解決するための手段】
【０００６】
この課題は、本発明によれば、
中央ピースが備えられた、固定用表面に向かって開かれた空洞になっている吸着盤と、
少なくとも該固定用表面に向かって弾性材料を有するシール端とを有し、このシール端で該吸着盤が該固定用表面に取り付け可能であり、その結果、該吸着盤の底面と該固定用表面との間に、外部に向かって気密に閉じられた負圧室が形成され、その際、
該負圧式保持装置が接触圧伝達部を有し、この接触圧伝達部が押し軸方向に弾性に、殊にゴム弾性に、変形可能でありかつ吸着盤の中央ピースと吸着盤における外側のシール端との間に該中央ピースならびに該外側のシール端からそれぞれ離して吸着盤壁部の外側面に配置されており、かつ
同じく吸着盤壁部への接触圧を伝達するための押付け手段を有し、その際、該押付け手段が、少なくとも接触圧下に固定用表面に向かって中央ピースに作用が及ぼされながら、中央ピースおよび接触圧伝達部と、そしてこの接触圧伝達部を介して吸着盤壁部と結合するように形成されており、
その際、外から押しながら吸着盤の吸着盤壁部に対して作用する押付け手段が、中央ピースにて固定されたカバーから成り、このカバーが接触圧伝達部に少なくとも接触圧下に作用する、固定用表面への固定のための負圧式保持装置によって解決される。
有利な実施形態は、従属請求項の対象であるかあるいは以下に記載される。
本発明の利点は、固定に使用される接触圧が中央ピースからだけではなく、意図的に吸着盤壁部を介してももたらされ、かつそれにより負圧室からの空気のより良好な押し出しが可能であることである。このことは、吸着盤の弾性／柔軟性が高まると特に重要である。付着力はこの構造に基づいて粗い固定用表面においても驚くほど良好である。負圧式保持装置の固定後に接触圧伝達部は、中央ピースおよび押付け手段との相互作用下に、固定用表面から遠ざかる中央ピースにおける引張応力を維持する。
【０００７】
接触圧伝達部は高さ方向に弾性に変形可能であり、例えば環状の１つの円環体または環状に配置された個々の突起から成る。この円環体もしくは突起を押し付ける押付け手段は、外から接触圧伝達部を介して吸着盤の壁部に作用するカバーから成る。
この円環体もしくは突起は選択的に吸着盤の外側面にかあるいは接触圧を補強するカバーの該吸着盤に向かい合う面に備えられている。２つの場合とも同じ圧力伝達が達成される。
しかし、接触圧伝達部は好ましくは吸着盤壁部に組み込まれた部材であり、かつさらに好ましくは同一の材料で製造されている。接触圧伝達部は張力のかかっていない状態で押付け手段とだけかまたは吸着盤壁部とだけ結合していることができる。好ましくはこれらは負圧式保持装置の静止状態でも押付け手段とも吸着盤壁部とも接触している。
接触圧伝達部の環が中央ピースを起点に一定の半径にある場合には、例えばこの環が中央ピースから見て吸着盤の半径全体の例えば１／４〜５／６、殊に１／３〜２／３、に達する場合には、接触圧は付加的に形状を安定させるようにして吸着盤のそれ自体弾性の壁部に作用する。
吸着盤は、好ましくは接触圧伝達部も、殊に、１８以下（それぞれショアＡ）、例えば１０〜１８、好ましくは１１〜１４、の範囲内、のショア硬度を有する材料から成る。特に有利であるのは、１２付近（すなわち＋／０．５）のショア硬度である。このように小さな硬度によって、シール端が固定用表面の凹凸に良好に適合しかつしたがって良好に封止することが得られる。シール端は、固定用表面上での吸着盤の接触面に対応する。
吸着盤に特に好適な材料としてゴムおよび殊に熱可塑性材料のような弾性材料が有利であるこは明らかである。適当な材料は、例えばスチレンブロック共重合体、スチレンブロックターポリマー（スチレンエチレンブチレンスチレンブロック重合体）およびスチレンジエン重合体である。
【０００８】
吸着盤の著しく柔らかい材料は、形状安定性がそのことで損なわれるという欠点を有する。それにもかかわらず吸着盤にこの形状安定性を与えるために、一実施形態によれば、吸着盤の材料中に、中央ピースから出るスパイダーアームを有する、例えば安定化スパイダーの形をした、安定化骨格が埋め込まれている。安定化スパイダーの形状が吸着盤の釣鐘形を決定する。
安定化骨格は、通常それ自体非弾性の硬い材料、例えば金属またはプラチック、から成るが、しかし弾むことが可能である。しかし、安定化骨格のアームは弾性回復するようにして屈折可能である。プラチックが使用される場合には、比較的温度安定であることが好ましい。殊に、繊維強化ポリオレフィンおよび殊にガラス繊維強化ポリプロピレンである。
安定化骨格は中央ピースから出るスパイダーアームを有し、これらスパイダーアームは場合によっては相互に結合されており、かつ吸着盤の半径の少なくとも半分、好ましくは少なくとも４分の３に広がる。
中央ピースから出る安定化骨格のスパイダーアームには、有利な実施形態によれば、上面にそれぞれ少なくとも１つの末端のスペーサが備えられ、このスペーサはほぼ全側面で、１８以下のショア硬度（ＤＩＮ  ５３５０５による）を有する柔軟な材料中に埋め込まれており、スパイダーアーム上のコーティングの高さをほぼ有する。スペーサは吸着盤の射出成形による製造を簡単にし、かつ該アームを射出成形金型内で固定する。
吸着盤の底面のためのシール端そばに、例えば３つのシールリップが備えられており、これらシールリップは同心でありかつ中央ピースに向かってその直径は小さくなっている。
前記円環体を押し下げるのに、吸着盤にかぶせられたカバーが使用され、このカバーは吸着盤の中央ピースと結合している。押付け手段すなわちカバーは固定すべき物体の部分であってもよいし、該物体のホルダ、例えば携帯電話用のホルダ、であってもよい。
【０００９】
カバーはそれ自体非弾性の硬い材料から成り、好ましくは、例えば球面の部分面として、凹面であり、かつさらに好ましくは、例えば指が及ぼす、カバーの中心に作用する接触圧によって、この凹面形状が平らになりかつ復元力によってカバー中央が張力のない凹面の本来の形状に戻ろうとするようにして変形可能である。
【００１０】
カバーは外側縁内側に１つもしくはそれ以上の円形もしくは部分円形のリップまたは点状の突起の形をしたスペーサを有していてもよく、このスペーサは取り付けられた状態で外側の吸着盤壁部に突っ張りかつカバーの傾斜を防止する。
【００１１】
カバーは吸着盤をほぼ完全に覆う。場合によっては、吸着盤の最外縁が覆われずかつ継ぎ目様のエッジが形成し、このエッジに沿ってよく拭き取ることができることが所望されてもよい。
【００１２】
接触圧がかかると、接触圧によって弾性に変形された凹面のカバーは中央ピースを張力下に復元力によってさらに固定用表面から離す。
カバーは好ましくは、吸着盤の中央ピースとロック結合によって分離不可能に結合している。
【００１３】
保持すべき物体のためのマウント装置は例えば、カバーを吸着盤の中央ピースに接続しかつ物体の固定にも使用される中央のねじ継ぎ手を有する。
固定される物体の保持装置を用いた調整を最適な視認性に関して可能にするために、マウント装置は殊に前記ねじ継ぎ手、好ましくは物体を取り付け可能であるボールジョイントを有する。
【００１４】
ボールジョイントは好ましくは、該ねじ継ぎ手に取り付けられたボールと該ボールに合わせたボールケージとで構成され、このボールケージは物体のための固定用接続ピースを有する。ボールとボールケージは相互に、例えばヘッドレスボルトの形をした、調整ねじによって固定されていてもよい。ボールケージによって簡単に、最適な視覚的調整（Ｓｉｃｈｔｅｉｎｓｔｅｌｌｕｎｇ）を達成することができる。
【００１５】
ねじ継ぎ手は固定用ステー（Ｂｅｆｅｓｔｉｇｕｎｇｓｔｅｌｌｅｒ）を有してもよく、この固定用ステーを用いてカバーを吸着盤の中央ピースに押さえることができる。固定用ステーには図示されていない面ファスナーが備えられていてもよく、この面ファスナーには物体が該面ファスナーの片方と固定可能である。これはボールジョイントに対する変形形態である。
【００１６】
上方の計器類カバー上のフロントガラス下での取り付けの場合に、取り付けられた物体が衝突の場合に負圧式保持装置から外れるということを可能にするためのなおさらなる有意義な目的をボールジョイントおよび面ファスナーは追求している。
【００１７】
負圧式保持装置には場合によってはさらなるマウント装置を有する爪付きディスクが、前記カバーにねじって取り付けられて備えられていてもよい。このためにカバーは本質的に円形に形成されているが、しかし全周にわたってほぼ均等に分布してカバー中心点に対する距離がより小さな縁部ゾーンとカバー中心点に対する距離がより大きな縁部ゾーンとを有する。爪付きディスクはカバー中心点に対する距離がより小さな縁部ゾーンにセットされ、カバー中心点に対する距離がより大きな縁部ゾーンに向かって回転されることによりカバーのそのさらなる縁部ゾーンにかぎ爪がかみ合うことによって固定される。
【００１８】
固定された爪付きディスクが回ってしまうのを防止するためにロック装置が備えられており、このロック装置上を爪付きディスクが、最終的に固定位置にかみ合って回らないように固定できるようにするために始めは回転可能に案内されている。
【発明を実施するための最良の形態】
【００１９】
次に本発明の対象を図１〜１４につき例として説明する。次のものが示されている。
これら図による負圧式保持装置１は吸着盤２を有する。図１には、この吸着盤２がその中央にマウント装置４を有するのが示されている。マウント装置４と吸着盤２のシール端５の間には吸着盤壁部７の外側面６に接触圧伝達部８が存在する。この接触圧伝達部８は高さ方向に弾性に変形可能な円環体として製造されているが、これは個々の突起で構成されてもよい。突起による変形形態は示していない。
【００２０】
図２が示すとおり、吸着盤２はその底面９にて釣鐘のように空洞に形成されている。それにより負圧室３０が生じる。吸着盤壁部７中に安定化スパイダー１０の形をした安定化骨格が埋め込まれている。この安定化スパイダー１０は図４に上面図で示されており、それはプラスチックもしくは金属製である。安定化スパイダーはその中央における好ましくは円筒形の中央ピース１１とこの中央ピースからスパイダー縁部１２に向かって突き出たスパイダーアーム１３とから成る。スパイダーアーム１３は、中央ピース１１からスパイダー縁部１２まで延びる分離スリット１４によって互いに分離されている。しかし、図４で数本のスパイダーアームに対して示しているように、分離スリット１４を、完全ピース１５から始まるおよそその半分（１４ａ）以降だけとすることも可能である。
【００２１】
図５には安定化スパイダー１０が側面図で示されている。中央ピース１１およびスパイダーアーム１３が示されている。スパイダーアーム１３は、静止位置への復元力に対して上下に屈折可能である。安定化スパイダー１０は、図１０にも示されている。図１０ではさらにスペーサ２６および中央ピース１１におけるロック凹部３５が示されている。
【００２２】
図２を見れば、図５の部材１１、１３が太い破線で示されているため、吸着盤２内部の安定化スパイダー１０を明確に認めることができる。吸着盤２の底面９には、下へ突き出しかつシール端５の範囲に存在する３つの同心のシールリップ１６が示されている。これらシールリップ１６は中央ピース１１に対し同心であり、かつ該中央ピース１１に向かってその直径は小さくなっている。
【００２３】
安定化スパイダー１０を取り囲んで射出成形された吸着盤２の材料は著しく柔らかい。そのショア硬度（タイプＡ）は１０〜１８、好ましくは１１〜１４の範囲内、殊に１２付近である。これにより吸着盤２は粗い固定用表面１７にも著しく良好に吸着する。吸着盤本体の形状安定性および復元する弾性は、成形により埋め込まれた（ｅｉｎｇｅｓｐｒｉｔｚｔｅ）安定化スパイダー１０によって保証される。
【００２４】
図６には、吸着盤２を完全に覆うカバーが押付け手段１８として示されている。取り付け時には押付け手段１８の中央の開口部１９に、図７の固定ねじ２０が差し込まれる。この固定ねじ２０はトッププレート２１と、雄ねじ２３を有するボルト軸部２２とから成る。中央ピース１１の内側貫通孔２４は雌ねじ２５を有する。押付け手段１８は固定ねじ２０とともに、図２の吸着盤２にかぶせられる。押付け手段１８は上向きに湾曲しておりかつ固定ねじ２０によって押し下げられ、このことによりボルト軸部２２を中央ピース１１の内側貫通孔２４の雌ねじ２５にねじ込むことができる。
【００２５】
図３からは、トッププレート２１が押付け手段１８を中央ピース１１に押しているのがわかる。吸着盤の押し下げられた中央部２８は、縁部２９を上に傾斜させようとする。しかしこれは、縁部２９を押さえつける円環体８によって阻止される。つまりシールリップ１６は固定用表面１７に向かって確実に押される。吸着盤２の底面９と固定用表面１７の間に形成される負圧室３０内に負圧が生じるが、しかし、この負圧は、固定用表面１７の損傷が回避される程度の高さであるにすぎない。さらに負圧室３０は著しく平たい広がりを有する。
【００２６】
図９は、カバー１８と吸着盤２の断面を示す。ロックフランジ３４の逆鉤３６のためのアバットメント３７を有するロック凹部３５ならびに接触圧補強部８が特によくわかる。ロック突起３８は、例えば図１２に示されているような、図示されていない爪付きディスク３９の相応する凹部にかみ合う。カバー１８が固定された際にこのカバーがぐらつかないように、吸着盤壁部７に対して突っ張る支持畝合い部２７が備えられている。支持畝合い部２７は支持突起部として形成されていてもよい。
【００２７】
この負圧式保持装置にて物体は固定されることができる。このことは雌ねじ２５にねじ込まれる固定ねじ２０を用いて行なわれてもよいし、図示されていない面ファスナーを用いて行なわれてもよい。図８は、固定ねじ２０に結合されたボール３１と該ボール３１にかぶせられかつ固定用接続ピース３３を有するボールケージ３２とで構成されるさらなる変形形態を示す。
【００２８】
図１１には、小ねじを用いて締め付け可能なロッド取付け部がマウント装置４として示されている。固定用接続ピース３３はロッドスリーブとして形成されており、カバー１８に直接取り付けられており、かつ側方の安定化ストラットを有する。
【００２９】
代替的にこの平らなカバー１８に爪付きディスク３９が載せられていてもよい。その完全な円ではないカバーはこのために３つの突出部（縁部ゾーン４２）を有し、この突出部には爪付きディスク３９のかぎ爪４０を回転によって固定させることができる。かぎ爪４０を３つの対応する凹み部（縁部ゾーン４１）と同じ高さにすることによって、爪付きディスク３９は載せられる。爪付きディスク３９の固定のプロセスは、図１３（順序Ａ〜Ｃ）に概略的に示されている。カバー１８にある矢印は上位置を示している。
【００３０】
図１４は、マウント装置４が代替的に、ばね端面４３を有するドームを中心に回転可能なグリップを用いて固定することもできることを示している。ばね端面４３がグリップの内部の皿穴部に下方向にかみ合うと、両フック４４はロック装置３８によって回転しないようになる。
【図面の簡単な説明】
【００３１】
【図１】粗い固定用表面にも付着することができる負圧式保持装置の吸着盤の上面図。
【図２】図１の負圧式保持装置の吸着盤の側面図。
【図３】取り付けられた状態の前記負圧式保持装置の断面図。
【図４】前記負圧式保持装置の吸着盤の材料に挿入される、中央ピースと該中央ピースから出るスパイダーアームとを備えた安定化スパイダーの形をした形状安定用の挿入物の側面図。
【図５】加工前の状態での、図４の安定化スパイダーの側面図。
【図６】負圧式保持装置の取り付けのための接触圧補強カバー。
【図７】負圧式保持装置を固定用表面に固定するのに用いられる、負圧式保持装置用の取付けボルトの側面図。
【図８】物体を固定するためのボールジョイントを備えた、変更が加えられた取付けボルト。
【図９】吸着盤とカバーの断面図。カバーと中央ピースを相互に固定するために、中央ピースにはロック要素のための凹部がある。支持畝合い部が、載せられたカバーのぐらつきを防止する。
【図１０】スパイダーアーム上のスペーサとロック要素のための中央ピースにおける凹部とを備えた安定化スパイダーの立体図。
【図１１】異なるマウント装置がロッド取付け部として形成されている。図１１ではロッドのための凹部はカバーの一部であり、そして図１２ではカバーに載せられた爪付きプレートの一部である。
【図１２】異なるマウント装置がロッド取付け部として形成されている。図１１ではロッドのための凹部はカバーの一部であり、そして図１２ではカバーに載せられた爪付きプレートの一部である。
【図１３】爪付きプレートを壁に固定された負圧式保持装置（Ａ）に取り付け（Ｂ）、かつ複数のノッチ上での回転によって両フックにとって適当に調整された位置に固定する（Ｃ）様子を明らかにしている。
【図１４】両フックをスプリングクランプグリップに取り付け、かつ該グリップにかみ合う２つの下方のばね端面（Ｆｅｄｅｒｗａｎｇｅｎ）を用いて固定する様子を示している。このクランプグリップは、プレートにおけるロック穴と該グリップ下側の対応するノッチとによって回らないように支持されている。
【図１】
2007536475.tif 000003
【図２】
2007536475.tif 000004
【図３】
2007536475.tif 000005
【図４】
2007536475.tif 000006
【図５】
2007536475.tif 000007
【図６】
2007536475.tif 000008
【図７】
2007536475.tif 000009
【図８】
2007536475.tif 000010
【図９】
2007536475.tif 000011
【図１０】
2007536475.tif 000012
【図１１】
2007536475.tif 000013
【図１２】
2007536475.tif 000014
【図１３】
2007536475.tif 000015
【図１４】
2007536475.tif 000016
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
中央ピース（１１）が備えられた、固定用表面（１７）に向かって開かれた空洞になっている吸着盤（２）と、
少なくとも前記固定用表面（１７）に向かって弾性材料を有するシール端（５）とを有し、このシール端で前記吸着盤（２）が前記固定用表面（１７）に取り付け可能であり、その結果、前記吸着盤（２）の底面（９）と前記固定用表面（１７）との間に、外部に向かって気密に閉じられた負圧室（３０）が形成される
固定用表面（１７）への固定のための負圧式保持装置（１）であって、
前記負圧式保持装置（１）が接触圧伝達部（８）を有し、この接触圧伝達部が押し軸方向に弾性に変形可能でありかつ吸着盤（２）の中央ピース（１１）と吸着盤における外側のシール端（５ ）との間に前記中央ピース（１１）ならびに前記外側のシール端（５ ）からそれぞれ離して吸着盤壁部（７）の外側面（６）に配置されており、かつ
前記負圧式保持装置（１）が吸着盤壁部（７）への接触圧を伝達するための押付け手段（１８）を有し、その際、前記押付け手段（１８）が、少なくとも接触圧下に固定用表面（１７）に向かって中央ピース（１１）に作用が及ぼされながら、中央ピース（１１）および接触圧伝達部（８）と、そしてこの接触圧伝達部（８）を介して吸着盤壁部（７）と結合するように形成されており、その際、外から押しながら吸着盤（２）の吸着盤壁部（７）に対して作用する押付け手段（１８）が、中央ピース（１１）にて固定されたカバーから成り、このカバーが接触圧伝達部（８）に少なくとも接触圧下に作用する
固定用表面（１７）への固定のための負圧式保持装置（１）において、
中央ピース（１１）から出るアーム（１３）を有する安定化骨格（１０）が吸着盤（２）の材料中に埋め込まれているか前記材料上に載せられており、かつ、前記アーム（１３）が吸着盤（２）の少なくとも半分の半径で広がりかつ弾性回復するようにして屈折可能であることを特徴とする、
固定用表面への固定のための負圧式保持装置。
【請求項２】
接触圧伝達部（８）がほぼ環状の１つの円環体または、独立して、好ましくは中央ピース（１１）に対しほぼ同心に配置されている個々の突起から成ることを特徴とする、請求項１記載の負圧式保持装置。
【請求項３】
接触圧伝達部（８）が、殊に１８以下、特に１０〜１８、のショア硬度（ＤＩＮ  ５３５０５による）を有するゴム弾性材料から成り、かつこれとは無関係に前記接触圧伝達部（８）が好ましくは吸着盤壁部（７）の外側面（６）に組み込まれた部材でありかつ同一の材料から成ることを特徴とする、請求項１または２記載の負圧式保持装置。
【請求項４】
押付け手段（１８）が凹面形状を有し、この凹面形状がさらに好ましくは力の作用によって中央で中心に向かって弾性に変形可能であることを特徴とする、請求項１から３までのいずれか一項に記載の負圧式保持装置。
【請求項５】
カバーが吸着盤（２）を本質的に覆うことを特徴とする、請求項１から４までのいずれか一項に記載の負圧式保持装置。
【請求項６】
押付け手段（１８）が外部からの接触圧がかかると中央ピース（１１）を張力下に復元力によって、特に接触圧によるカバー中央への前に行なわれた押付け手段（１８）の弾性変形が原因ともなって、固定用表面（１７）から付加的に離すことを特徴とする、請求項１から５までのいずれか一項に記載の負圧式保持装置。
【請求項７】
接触圧伝達部（８）が選択的に吸着盤（２）の外側面（６）にかまたは接触圧を補強する押付け手段（１８）の前記吸着盤（２）に向かい合う面に備えられているか、あるいはこれらの一部を形成することを特徴とする、請求項１から６までのいずれか一項に記載の負圧式保持装置。
【請求項８】
吸着盤（２）が少なくともシール端（５）の範囲で、好ましくは吸着盤壁部（７）および場合によっては吸着盤（２）全体の範囲でも、この場合には中央ピース（１１）を除いて、１８以下、特に１０〜１８、殊に１１〜１４、のショア硬度（ＤＩＮ  ５３５０５による）を有する材料から成ることを特徴とする、請求項１から７までのいずれか一項に記載の負圧式保持装置。
【請求項９】
吸着盤（２）が熱可塑性エラストマーから成るかまたは熱可塑性エラストマーを有することを特徴とする、請求項１から８までのいずれか一項に記載の負圧式保持装置。
【請求項１０】
安定化骨格（１０）のアームをが吸着盤の半径の少なくとも４分の３に広がることを特徴とする、請求項１から９までのいずれか一項に記載の負圧式保持装置。
【請求項１１】
安定化骨格（１０）が弾性的に曲げられることができる材料、例えば金属、または非弾性の硬いプラチックから成ることを特徴とする、請求項１０記載の負圧式保持装置。
【請求項１２】
安定化骨格（１０）が釣鐘形を有し、殊に平たい円錐形であることを特徴とする、請求項１０または１１記載の負圧式保持装置。
【請求項１３】
中央ピース（１１）から出る安定化骨格（１０）のアーム（１３）に上面でそれぞれ少なくとも１つのスペーサ（２６）が備えられ、このスペーサがほぼ全側面で、１８以下のショア硬度（ＤＩＮ  ５３５０５による）を有する柔軟な材料中に埋め込まれており、前記スペーサがスパイダーアーム（１３）のコーティングとほぼ同じ高さを有しかつ殊に前記アームの中央からスパイダーアーム（１３）の外縁に配置されていることを特徴とする、請求項１０から１２までのいずれか一項に記載の負圧式保持装置。
【請求項１４】
接触圧伝達部（８）が中央ピース（１１）から見て、吸着盤の半径全体の１／４〜５／６、殊に１／３〜２／３、に達する半径範囲内に配置されていることを特徴とする、請求項１から１３までのいずれか一項に記載の負圧式保持装置。
【請求項１５】
吸着盤の底面（９）のシール端（５）そばに、１つ、２つもしくは３つの環状のシールリップ（１６）が備えられており、これらシールリップは好ましくは同心でありかつさらに好ましくはより外側のシールリップから次のさらに内側にある第２のシールリップへの間隔が前記第２のシールリップから第３のシールリップへの間隔より小さいことを特徴とする、請求項１から１４までのいずれか一項に記載の負圧式保持装置。
【請求項１６】
押付け手段（１８）が吸着盤（２）の中央ピース（１１）と分離可能に結合していることを特徴とする、請求項１から１５までのいずれか一項に記載の負圧式保持装置。
【請求項１７】
マウント装置（４）が押付け手段（１８）を吸着盤と分離可能に結合しかつ前記マウント装置（４）が好ましくは、押付け手段（１８）を吸着盤（２）の中央ピース（１１）と結合するかおよび／または物体のための固定装置を支持する中央のねじ継ぎ手（２０）を有することを特徴とする、請求項１から１６までのいずれか一項に記載の負圧式保持装置。
【手続補正２】
【補正対象書類名】明細書
【補正対象項目名】０００４
【補正方法】変更
【補正の内容】
【０００４】
英国特許第４９１，９９１号明細書から、弾むことが可能な材料から成るカバーをゴム弾性の吸着盤上に有する負圧式保持装置が公知である。カバーが吸着盤の中央に押し付けられると、その凸面のカバー形状が凹面形状に移行する。押付けが弱まるとともにカバーはその凸面のカバー形状に戻り、それにより該ベース中央を接触面から離し、その結果、吸着盤と接触面の間に負圧が形成される。この種の負圧式保持装置は本発明とは、柔らかい吸着盤自体が接触面から遠ざかる力を接触圧が弱まった後に発揮することができないことが異なっている。これは負圧式保持装置の付着力にとって不利となりうる、というのも、負圧の程度がただカバーの復元力のみによって決まるからである。
英国特許第１，０８４，５５９号明細書から、釣鐘形の吸着盤とカバーとを備えた負圧式保持装置が公知であり、この場合、英国特許第４９１，９９１号明細書による場合と異なり、吸着盤中央とカバーは不動にではなく可動に相互に結合されている。このためにボルト軸部が吸着盤中に挿入された円盤状の、剛性の高い金属板上に載っている。この金属板には孔がある。吸着盤中央は、負圧の形成のためにカバーに載せられたねじ穴を有するヘッドによって接触面から離される。この負圧式保持装置もまたアームを有する安定化骨格を有しておらず、吸着盤中に挿入された剛性の高い金属板は、弾性に変形可能ではないため、接触圧が弱まることに対する反応への付加的な復元力を発揮することができない。
釣鐘形をしたこれら公知の吸着装置の多くには、負圧が弱まる際に釣鐘形への吸着盤の復元力によってシール端と接触面の間の角度が大きくなり、このことにより結果として止められない、なおかつ半径方向内向きの復元力が生じかつこの吸着装置は脱落するという欠点がある。
【手続補正３】
【補正対象書類名】明細書
【補正対象項目名】０００５
【補正方法】変更
【補正の内容】
【０００５】
本発明の課題は、粗い固定用表面にも確実に、しっかりとかつ長時間持続的に付着する負圧式保持装置を提供することである。
【手続補正４】
【補正対象書類名】明細書
【補正対象項目名】０００６
【補正方法】変更
【補正の内容】
【０００６】
この課題は、本発明によれば、独立請求項１の特徴を有する固定用表面への固定のための負圧式保持装置によって解決される。
有利な実施形態は、従属請求項の対象であるかあるいは以下に記載される。
本発明の利点は、固定に使用される接触圧が中央ピースからだけではなく、意図的に吸着盤壁部を介してももたらされ、かつそれにより負圧室からの空気のより良好な押し出しが可能であることである。このことは、吸着盤の弾性／柔軟性が高まると特に重要である。付着力はこの構造に基づいて粗い固定用表面においても驚くほど良好である。負圧式保持装置の固定後に接触圧伝達部は、中央ピースおよび押付け手段との相互作用下に、固定用表面から遠ざかる中央ピースにおける引張応力を維持する。
【手続補正５】
【補正対象書類名】明細書
【補正対象項目名】０００８
【補正方法】変更
【補正の内容】
【０００８】
吸着盤の著しく柔らかい材料は、形状安定性がそのことで損なわれるという欠点を有する。それにもかかわらず吸着盤にこの形状安定性を与えるために、吸着盤の材料中に、中央ピースから出るスパイダーアームを有する、例えば安定化スパイダーの形をした、安定化骨格が埋め込まれている。安定化スパイダーの形状が吸着盤の釣鐘形を決定する。
安定化骨格は、通常それ自体非弾性の硬い材料、例えば金属またはプラチック、から成るが、しかし弾むことが可能である。しかし、安定化骨格のアームは弾性回復するようにして屈折可能である。プラチックが使用される場合には、これは比較的温度安定であることが好ましい。殊に、繊維強化ポリオレフィンおよび殊にガラス繊維強化ポリプロピレンである。
安定化骨格は中央ピースから出るスパイダーアームを有し、これらスパイダーアームは場合によっては相互に結合されており、かつ吸着盤の半径の少なくとも半分、好ましくは少なくとも４分の３に広がる。
中央ピースから出る安定化骨格のスパイダーアームには、有利な実施形態によれば、上面にそれぞれ少なくとも１つの末端のスペーサが備えられ、このスペーサはほぼ全側面で、１８以下のショア硬度（ＤＩＮ  ５３５０５による）を有する柔軟な材料中に埋め込まれており、スパイダーアーム上のコーティングの高さをほぼ有する。
吸着盤の底面のためのシール端そばに、例えば３つのシールリップが備えられており、これらシールリップは同心でありかつ中央ピースに向かってその直径は小さくなっている。
前記円環体を押し下げるのに、吸着盤にかぶせられたカバーが使用され、このカバーは吸着盤の中央ピースと結合している。押付け手段すなわちカバーは固定すべき物体の部分であってもよいし、該物体のホルダ、例えば携帯電話用のホルダ、であってもよい。
【国際調査報告】
2007536475.tif 000017
2007536475.tif 000018
2007536475.tif 000019
2007536475.tif 000020
2007536475.tif 000021
2007536475.tif 000022